(57)【要約】【課題】所望温度に沸き上げが完了するまで、高いＣＯＰ値が維持できる給湯装置を提供する。【解決手段】圧縮機、給湯用熱交換器、膨張手段および蒸発器を接続して熱媒体を流通させ、給湯用熱交換器に移送される水を加熱して湯水を得るヒートポンプ回路と、水供給源からの水を貯えると共に、貯えられた水を給湯用熱交換器に循環させて所望の温度の湯水を貯留する貯湯槽の低温ポートから取り出される水を給湯用熱交換器に移送すると共に、加熱された湯水を貯湯槽の高温ポートに循環させる移送手段とを備えた給湯装置であって、貯湯槽の低温ポートから取り出される水の温度を検出する水温検出手段と、この水温検出手段により検出した水温が所定温度以上のとき、低温ポートから取り出される水に水供給源からの水を混合させて給湯用熱交換器に供給する水の温度を所定温度以下に冷却する水混合手段を備える。【選択図】図１
2008128615.tif 000002
【特許請求の範囲】
【請求項１】
圧縮機、給湯用熱交換器、膨張手段および蒸発器を接続して熱媒体を流通させ、前記給湯用熱交換器に移送される水を加熱して湯水を得るヒートポンプ回路と、水供給源からの水を貯えると共に、貯えられた水を前記給湯用熱交換器に循環させて所望の温度の湯水を貯留する貯湯槽と、この貯湯槽の低温ポートから取り出される水を前記給湯用熱交換器に移送すると共に、前記加熱された湯水を前記貯湯槽の高温ポートに循環させる移送手段とを備えた給湯装置であって、
前記貯湯槽の低温ポートから取り出される水の温度を検出する水温検出手段と、
この水温検出手段により検出した水温が所定温度以上のとき、前記低温ポートから取り出される水に前記水供給源からの水を混合させて前記給湯用熱交換器に供給する水の温度を前記所定温度以下に冷却する水混合手段と
を備えたことを特徴とする給湯装置。
【請求項２】
前記ヒートポンプ回路は、前記蒸発器と圧縮機との間に介装させた蓄冷手段を備え、
前記水混合手段から前記給湯用熱交換器に供給される水を前記蓄冷手段により更に冷却することを特徴とする請求項１に記載の給湯装置。
【請求項３】
圧縮機、給湯用熱交換器、膨張手段および蒸発器を接続して熱媒体を流通させ、前記給湯用熱交換器に移送される水を加熱して湯水を得るヒートポンプ回路と、水供給源からの水を貯えると共に、貯えられた水を前記給湯用熱交換器に循環させて所望の温度の湯水を貯留する貯湯槽と、この貯湯槽の低温ポートから取り出される水を前記給湯用熱交換器に移送すると共に、前記加熱された湯水を前記貯湯槽の高温ポートに循環させる移送手段とを備えた給湯装置であって、
前記貯湯槽の低温ポートから取り出される水の温度を検出する水温検出手段と、
前記水温検出手段により検出した水温が所定温度以上のとき、前記低温ポートから取り出される水に代えて前記水供給源からの水を前記給湯用熱交換器に供給する切換手段と
を備えたことを特徴とする給湯装置。
【請求項４】
前記貯湯槽は、前記低温ポート近傍に設けられて、高温ポートに循環する湯水より低温の貯留水をオーバフローさせる逃がしポートを備えることを特徴とする、請求項１〜３のいずれかに記載の給湯装置。
【請求項５】
圧縮機、給湯用熱交換器、膨張手段および蒸発器を接続して熱媒体を流通させ、前記給湯用熱交換器に移送される水を加熱して湯水を得るヒートポンプ回路と、水供給源からの水を貯えると共に、貯えられた水を前記給湯用熱交換器に循環させて所望の温度の湯水を貯留する貯湯槽と、この貯湯槽の低温ポートから取り出される水を前記給湯用熱交換器に移送すると共に、前記加熱された湯水を前記貯湯槽の高温ポートに循環させる移送手段とを備えた給湯装置であって、
前記ヒートポンプ回路の前記蒸発器と圧縮機との間に介装させた蓄冷手段と、
前記貯湯槽の低温ポートから取り出される水の温度を検出する水温検出手段と、
この水温検出手段により検出した水温が所定温度以上のとき、前記低温ポートから取り出される水を前記蓄冷手段により冷却して前記給湯用熱交換器に供給する切換回路と
を備えたことを特徴とする給湯装置。
【請求項６】
前記熱媒体として、前記ヒートポンプ回路の高圧側で超臨界状態となる二酸化炭素を用いることを特徴とする請求項１〜５のいずれかに記載の給湯装置。
【発明の詳細な説明】
【技術分野】
【０００１】
本発明は、ヒートポンプ回路を備えた給湯装置に係り、特に熱媒体として二酸化炭素を用いて好適な給湯装置に関する。
【背景技術】
【０００２】
近時、省エネルギーの観点からヒートポンプを利用した給湯装置の利用が拡大し、例えば家庭にも適用されている。このヒートポンプを利用した給湯装置は、例えば図５に示すように構成されている。この図において３ａおよび３ｂは、それぞれ低温貯湯タンクおよび高温貯湯タンクであり、市水等の水供給源から供給される給水をヒートポンプユニット２によって加熱して湯を作り、この湯を貯湯タンク３ａ，３ｂに貯え、図示しない浴槽等に給湯する構成をとっている（例えば、特許文献１，２を参照）。
【０００３】
さて、市水等から供給される給水は、この給水に含まれる異物等の不純物を取り除くストレーナ６を介して、その後段に接続された配管路４ａによって導かれて低温貯湯タンク３ａに貯えられる。また、ストレーナ６を出た給水の一部は、別の配管路４ｂを通り、給水の逆流を防止する逆止弁７ａを介して高温貯湯タンク３ｂから供給される湯と混合して給湯出力する給湯混合弁８に導かれる。この給湯混合弁８は、給湯に適した温度になるよう給水と湯とを混合して給湯水を出力する役割を担う。また給湯混合弁８から供給される給湯水（温水）は、配管路４ｃによって浴槽等に導かれるようになっている。この配管路４ｃには、給湯量を計測する給湯フローセンサ１０が設けられている。
【０００４】
低温貯湯タンク３ａの下方には、この低温貯湯タンク３ａに貯えられた水を加熱するヒートポンプユニット２に導く配管路４ｄが接続される。この配管路４ｄには、低温貯湯タンクに貯えられた水をヒートポンプユニット２に送り出す循環ポンプ（ＨＰポンプ１１）が介装されている。
ヒートポンプユニット２によって加熱された水は、湯となって再びヒートポンプユニット２に戻すＨＰバイパス弁１２に接続された配管路４ｅ、および、このＨＰバイパス弁１２からその上方に接続された配管路４ｆによって高温貯湯タンク３ｂに導かれる。
【０００５】
尚、ＨＰポンプ１１とヒートポンプユニット２とを接続する配管路４ｇおよびヒートポンプユニット２とＨＰバイパス弁１２とを接続する配管路４ｅには、それぞれエア抜きバルブ１３ａ，１３ｂが設けられて管路内の溜まったエアを抜くことができるようになっている。
また低温貯湯タンク３ａの上方には、高温貯湯タンク３ｂの下方に接続される配管路４ｈが設けられている。そして高温貯湯タンク３ｂの上方には、この高温貯湯タンク３ｂに貯えられた湯と低温貯湯タンク３ａの上方に設けられた配管路４ｉによって導かれる湯を混合する中間混合弁１４に、それぞれの湯を導く配管路４ｊが設けられている。そうして中間混合弁１４によって混合された混合湯は、配管路４ｋに設けられた逆止弁７ｂを介して前述した給湯混合弁８に導かれる。
【０００６】
一方、ヒートポンプユニット２は、駆動電源の周波数によってその圧縮能力が調整されて所定の冷媒を圧縮する圧縮機２１、この圧縮機２１の後段に第一の配管路２２ａを介して接続されて、熱交換して貯湯タンク３ａ，３ｂに保持される水に冷媒が保持するエネルギーを与える給湯用熱交換器２３、この給湯用熱交換器２３の後段に第二の配管路２２ｂを介して接続されて、給湯用熱交換器２３により熱交換された冷媒を膨張させる膨張弁２４、この膨張弁２４の後段に第三の配管路２２ｃを介して接続されて、熱交換して冷媒に空気が保有するエネルギーを与える蒸発器２５、圧縮機２１に蒸発器２５によって熱交換された冷媒を導く第四の配管路２２ｄを備えてヒートポンプ回路を構成している。
【０００７】
尚、蒸発器２５と圧縮機２１とを接続する第四の配管路２２ｄには、冷媒が蒸発器２５で完全に蒸発しなかった場合、圧縮機２１を液圧縮から保護するアキュムレータ２６、および第二の配管路２２ｂに流れる冷媒を第四の配管路２２ｄに流れる冷媒（低温冷媒）で熱交換して冷却する内部熱交換器２７が第二の配管路７ｂおよび第四の配管路７ｄに介装されている。
【特許文献１】特開２００６−４６７３７号公報
【特許文献２】特開２００２−３２７９６６号公報
【発明の開示】
【発明が解決しようとする課題】
【０００８】
しかしながら上述のように構成された給湯装置は、貯湯タンク３ａ，３ｂ内の水がヒートポンプユニット２によって加熱されて湯になるとき、低温貯湯タンク３ａ内に高温の湯が増えてゆくと低温貯湯タンク３ａ底部の水温が徐々に上昇していく。このため低温貯湯タンク３ａの底部取り出し口（低温ポート）に接続された配管路４ｄを介してヒートポンプユニット２に送られる水の温度が上昇する。このため、給湯用熱交換器２３の冷媒用配管２３ａと水用配管２３ｂとの温度差は小さくなり熱交換効率が低下する。それ故、従来の給湯装置は、ＣＯＰ値が低下し、ヒートポンプ回路におけるエネルギー効率が低下するという問題があった。
【０００９】
またヒートポンプユニット２に送られる水の温度が高いと高温の冷媒温度が必要になるため、圧縮機２１の駆動能力を増加させる必要がある。このため圧縮機２１を駆動する駆動電源の周波数は高くなり、それ故、消費電力が増大するという問題もある。
更に上述の給湯装置において沸き上げ完了はヒートポンプユニット２に流入する水の温度を検出して判断しているが、流入する水の温度が高い場合、ヒートポンプユニット２が沸き上げ運転を開始してもすぐに停止してしまい、所望温度の湯が得られないという問題もあった。
【００１０】
本発明は、このような従来の給湯装置の問題を解決するべくなされたもので、その目的とするところは、所望温度に沸き上げが完了するまで、高いＣＯＰ値を維持できるようにした給湯装置を提供しようとするものである。
【課題を解決するための手段】
【００１１】
上述した目的を達成するべく本発明の給湯装置は、圧縮機、給湯用熱交換器、膨張手段および蒸発器を接続して熱媒体を流通させ、前記給湯用熱交換器に移送される水を加熱して湯水を得るヒートポンプ回路と、水供給源からの水を貯えると共に、貯えられた水を前記給湯用熱交換器に循環させて所望の温度の湯水を貯留する貯湯槽と、この貯湯槽の低温ポートから取り出される水を前記給湯用熱交換器に移送すると共に、前記加熱された湯水を前記貯湯槽の高温ポートに循環させる移送手段とを備えた給湯装置であって特に、
前記貯湯槽の低温ポートから取り出される水の温度を検出する水温検出手段と、この水温検出手段により検出した水温が所定温度以上のとき、前記低温ポートから取り出される水に前記水供給源からの水を混合させて前記給湯用熱交換器に供給する水の温度を前記所定温度以下に冷却する水混合手段とを備えることを特徴としている。
【００１２】
好ましくは前記ヒートポンプ回路は、前記蒸発器と圧縮機との間に介装させた蓄冷手段を備え、前記水混合手段から前記給湯用熱交換器に供給される水を前記蓄冷手段により更に冷却することが望ましい。
また本発明の給湯装置は、圧縮機、給湯用熱交換器、膨張手段および蒸発器を接続して熱媒体を流通させ、前記給湯用熱交換器に移送される水を加熱して湯水を得るヒートポンプ回路と、水供給源からの水を貯えると共に、貯えられた水を前記給湯用熱交換器に循環させて所望の温度の湯水を貯留する貯湯槽と、この貯湯槽の低温ポートから取り出される水を前記給湯用熱交換器に移送すると共に、前記加熱された湯水を前記貯湯槽の高温ポートに循環させる移送手段とを備えた給湯装置であって特に、
前記貯湯槽の低温ポートから取り出される水の温度を検出する水温検出手段と、前記水温検出手段により検出した水温が所定温度以上のとき、前記水温検出手段により検出した水温が所定温度以上のとき、前記低温ポートから取り出される水に代えて前記水供給源からの水を前記給湯用熱交換器に供給する切換手段とを備えることを特徴としている。
【００１３】
好ましくは前記貯湯槽は、前記低温ポート近傍に設けられて、高温ポートに循環する湯水より低温の貯留水をオーバフローさせる逃がしポートを備えることが望ましい。
あるいは本発明の給湯装置は、圧縮機、給湯用熱交換器、膨張手段および蒸発器を接続して熱媒体を流通させ、前記給湯用熱交換器に移送される水を加熱して湯水を得るヒートポンプ回路と、水供給源からの水を貯えると共に、貯えられた水を前記給湯用熱交換器に循環させて所望の温度の湯水を貯留する貯湯槽と、この貯湯槽の低温ポートから取り出される水を前記給湯用熱交換器に移送すると共に、前記加熱された湯水を前記貯湯槽の高温ポートに循環させる移送手段とを備えた給湯装置であって特に、
前記ヒートポンプ回路の前記蒸発器と圧縮機との間に介装させた蓄冷手段と、前記貯湯槽の低温ポートから取り出される水の温度を検出する水温検出手段と、この水温検出手段により検出した水温が所定温度以上のとき、前記低温ポートから取り出される水を前記蓄冷手段により冷却して前記給湯用熱交換器に供給する切換回路とを備えることを特徴としている。
【００１４】
好ましくは前記熱媒体として、前記ヒートポンプ回路の高圧側で超臨界状態となる二酸化炭素を用いることが望ましい。
上述の給湯装置によれば、貯湯タンクからヒートポンプに戻る水の温度が上昇しても、この水を冷却して高いＣＯＰ値を維持する。
【発明の効果】
【００１５】
本発明の給湯装置によれば、低温貯湯タンクの低温ポートから取り出される水の温度を検出する水温検出手段（水温センサ）と、この水温検出手段（水温センサ）によって検出された水温が所定温度以上のとき、低温ポートから取り出される水に水供給源からの水（例えば、市水等）を混合させて給湯用熱交換器に供給する水の温度を所定温度以下に冷却する水混合手段を備えているので、例え低温貯湯タンクの低温ポートから取り出される水の温度が高かったとしても高いＣＯＰ値を維持することができる。またヒートポンプに流入する水の温度が低いので圧縮機の駆動能力を高める必要がなく、そのため消費電力を低減することができ、引いては環境に排出される二酸化炭素量を低減させることできる。
【００１６】
また本発明の給湯装置に適用されるヒートポンプは、蒸発器と圧縮機との間に介装させた蓄冷手段を備え、水混合手段から給湯用熱交換器に供給される水を蓄冷手段により更に冷却しているので高いＣＯＰ値を得ることが可能となる。
更に本発明の給湯装置は、低温貯湯タンクの低温ポートから取り出される水の温度を検出する水温検出手段（水温センサ）と、この水温検出手段（水温センサ）によって検出された水温が所定温度以上のとき、低温ポートから取り出される水に代えて水供給源からの水を前記給湯用熱交換器に供給する切換手段を備えているので高いＣＯＰ値を維持することができる。
【００１７】
また本発明の給湯装置に適用される貯湯タンクは、低温ポート近傍に設けられて、高温ポートに循環する湯水より低温の貯留水をオーバフローさせる逃がしポートを備えているので、上述したように低温ポートから取り出される水に代えて水供給源からの水を移送手段に供給して給湯用熱交換器に移送させたとしても貯湯タンクとヒートポンプとの間で湯水を循環させることができる。
【００１８】
更に本発明の給湯装置は、ヒートポンプ回路の蒸発器と圧縮機との間に介装させた蓄冷手段と、低温貯湯タンクの低温ポートから取り出される水の温度を検出する水温検出手段（水温センサ）と、この水温検出手段（水温センサ）によって検出された水温が所定温度以上のとき、低温ポートから取り出される水を蓄冷手段により冷却して給湯用熱交換器に供給する切換回路を備えているので高いＣＯＰ値を維持することが可能である。
【００１９】
加えて本発明の給湯装置は、ヒートポンプユニットに流入する水を冷却して、その温度を下げているので、例え低温ポートから取り出される水の温度が高かったとしてもヒートポンプユニットが沸き上げ運転の開始後、すぐに停止するという不具合を呈することがないという実用上多大なる効果を奏する。
【発明を実施するための最良の形態】
【００２０】
以下、本発明の一実施形態について添付図面を参照しながら説明する。図１〜図４は本発明を実施する形態の一例であって、図５に示した従来の給湯装置と同一機能を有する部位には同符号を付し、その説明を省略する。
まず本発明の第一の実施形態に係る給湯装置について図１を参照しながら説明する。この第一の実施形態が図５に示した従来の給湯装置と異なるところは、低温貯湯タンク３ａに貯えられた水を加熱するヒートポンプユニット２に導く配管路４ｄに二つの三方混合弁３０，３１を介装した点、低温貯湯タンク３ａに貯えられた水をその底部から取り出す低温ポート３２に設けた水温センサ（水温検出手段）３３によって検出された湯温が所定温度以上のとき、低温ポート３２から取り出される水に水供給源から供給される水（例えば市水）を混合させて冷却し、ヒートポンプユニット２の給湯用熱交換器２３に供給する点にある。
【００２１】
尚、配管路４ｄが接続されている低温貯湯タンク３ａの低温ポート３２側に介装された三方混合弁（逃し弁）３０は、一方を開放端とした逃し弁の役割を担い、他方がもう一方の三方混合弁（給水混合弁）３１に接続される。この三方混合弁３１は、配管路４ａを介して低温貯湯タンク３ａに供給される給水を導く配管路４ａに接続されて、低温貯湯タンク３ａの低温ポート３２から導かれる湯と水供給源から供給される水とを混合してヒートポンプユニット２の給湯用熱交換器２３に供給する。ちなみに冷媒はヒートポンプ回路の高圧側で超臨界状態となる二酸化炭素が適用される。
【００２２】
このように各部が接続された本発明の給湯装置は、図２に示す給湯制御部４０によって制御される。この給湯制御部４０は、前述した水温センサ３３の他に、特に図示しないが水位センサ、フローセンサおよびフロースイッチ等の各種センサがそれぞれ検出した情報を受け取るセンサ情報入力部４１、このセンサ情報入力部４１から入力された情報に基づいて所定の演算を行う演算部４２、この演算部４２が演算した結果や初期値等の情報を保持する記憶部４３、種々の情報を表示する表示部４４、各種弁の開度調整やポンプ等の駆動を制御する出力部４５、給湯温度設定などの操作を入力する操作入力部４６およびこれら各部の全体制御を司る主制御部４７を備えて構成される。
【００２３】
そして給湯制御部４０は、水温センサ３３が検出した低温ポート３２から取り出される水の温度が所定温度を超えていると判定したとき、給水混合弁３１の開度を調整して低温ポート３２から導かれる湯と水供給源から供給される水とを混合し、ＨＰポンプ１１によってヒートポンプユニット２の給湯用熱交換器２３に送り込むようにしている。
本発明の給湯装置は、このような制御をすることによりＣＯＰ値を向上させることができる。つまり、ヒートポンプユニット２のヒートポンプ回路内を循環する冷媒は、例えば、図３のモリエル線図に示されるように圧縮機２１の吸入部における冷媒の動作点がＡ点、圧縮機２１の吐出部における動作点がＢ点、給湯用熱交換器２３の出口点がＣ点、膨張弁２４の出口がＤ点となり、Ａ→Ｂ→Ｃ→Ｄ→Ａの順に循環する。
【００２４】
この図を参照すると従来の給湯装置は、低温貯湯タンク３ａの低温ポート３２からヒートポンプユニット２の給湯用熱交換器２３に導かれる湯の温度が高くなると、給湯用熱交換器２３の出口点がＣ’点に移行する。このためヒートポンプ回路内の冷媒は、Ａ→Ｂ→Ｃ’→Ｄ’→Ａの順に循環する。したがって、従来の給湯装置の運転効率（以下、ＣＯＰ値ということがある）は、
ＣＯＰ＝（ｈ４−ｈ２）／（ｈ４−ｈ３）
となる。
【００２５】
一方、本発明の給湯装置は、低温貯湯タンク３ａの低温ポート３２からヒートポンプユニット２の給湯用熱交換器２３に導かれる水の温度が高くなったとき、この水に市水等の給水を混合してその温度を下げている。このためヒートポンプ回路内の冷媒は、Ａ→Ｂ→Ｃ→Ｄ→Ａの順に循環する。したがって本発明の給湯装置のＣＯＰ値は、
ＣＯＰ＝（ｈ４−ｈ１）／（ｈ４−ｈ３）
となる。よって従来の給湯装置と本発明の給湯装置におけるエンタルピーの差は、（ｈ４−ｈ１）＞（ｈ４−ｈ２）であるから、本発明の給湯装置は、従来の給湯装置に比べて高いＣＯＰ値を維持することができる。
【００２６】
尚、給水混合弁３１から給水を混合するにあたり貯湯タンク３ａ，３ｂ内の湯がオーバフローするときは、逃し弁３０の弁開度を調整して低温貯湯タンク３ａに貯えられた湯を外部に排出すればよい。
次に本発明の第二の実施形態に係る給湯装置について説明する。この実施形態が上述した第一の実施形態と異なるところは、給水混合弁３１で低温ポート３２から導かれた水と給水を混合することなく、低温ポート３２から取り出される湯に代えて水供給源からの水（例えば市水）を給湯用熱交換器２３に供給する点にある。
【００２７】
具体的にこの実施形態において給湯制御部４０は、例えば浴槽等に給湯をしていない状態のとき、逃がし弁３０から外部に排出される湯量と、給水混合弁３１からヒートポンプユニット２に供給される給水量が等しくなるようにそれぞれの弁開度を調整する。また給湯等で貯湯タンク３ａ，３ｂに貯えられている湯が使用されているとき給湯制御部４０は、その使用量と逃がし弁３０から外部に排出される湯量との和が、給水混合弁３１からヒートポンプユニット２に供給される給水量と等しくなるように制御する。
【００２８】
かくして本発明の第二の実施形態に係る給湯装置は、低温ポート３２から取り出される湯に代えて水供給源からの水（市水等）前記給湯用熱交換器に供給しているので高いＣＯＰ値を維持することができる。
尚、低温貯湯タンク３ａに貯えられた湯水を前述した手段によって一部廃棄することによってエネルギー損失となるもの、ＣＯＰ値を上昇させてエネルギー効率を高めたことによって圧縮機２１を駆動する消費電力が低下する。そしてその分の電力料金の低減分は市水のコストを補って余りある。更には消費電力を削減したことによって環境に排出される二酸化炭素量を低減させることも可能である。
【００２９】
次に本発明の第三の実施形態に係る給湯装置について図４を参照しながら説明する。この実施形態が上述した第一および第二の実施形態と異なるところは、低温ポート３２から取り出される水を後述する蓄冷手段５０によって冷却した後、給湯用熱交換器２３に供給する点にある。この蓄冷手段５０は、蒸発器２５と圧縮機２１とを接続する配管路２２ｄ、好ましくは蒸発器２５とアキュムレータ２６との間の配管路２２ｄに蓄冷手段５０を設置し、この蓄冷手段５０によって熱交換を行い、低温ポート３２から給湯用熱交換器２３に供給される水を冷却するものである。
【００３０】
具体的にこの蓄冷手段５０は、高温潜熱蓄熱材５１、低温潜熱蓄熱材５２とで構成され、それぞれの蓄熱材は融解して液状になったとき互いに混合しないように仕切り板５３で仕切られた構造をとっている。そして高温潜熱蓄熱材５１と低温潜熱蓄熱材５２とは、互いに融点の異なる潜熱蓄熱材で構成される。
この蓄冷手段５０は、蒸発器２５とアキュムレータ２６との間の配管路２２ｄに接するようにして介装されて、ヒートポンプ回路を循環する冷媒が融点の高い潜熱蓄熱材から融点の低い潜熱蓄熱材に流れるように配置される。また、この蓄熱手段５０には、水供給源から供給される水（例えば市水等）をストレーナ６に導く配管路４ｆが高温潜熱蓄熱材５１と低温潜熱蓄熱材５２に接するようにして取り付けられている。この配管路４ｆは、融点の低い低温潜熱蓄熱材５２から融点の高い高温潜熱蓄熱材５１へ市水等が流れるように配置する。
【００３１】
尚、上述した蓄冷手段は、２種類の異なる潜熱蓄熱材を用いたが３種類以上の融点の異なる潜熱蓄熱材で構成してもよい。
このように構成された本発明の第三の実施形態に係る給湯装置は、低温貯湯タンク３ａの低温ポート３２からＨＰポンプ１１によって給湯用熱交換器２３の水用配管２３ｂに湯が導かれる。このとき低温ポート３２から導かれる湯の温度が上昇するにつれて給湯用熱交換器２３の冷媒用配管２３ａにおける出口側の冷媒温度も上昇するものの、その上昇した冷媒は、蓄冷手段５０によって冷やされて再び圧縮機２１によってヒートポンプ回路を循環する。
【００３２】
つまり本発明の第三の実施形態に係る給湯装置は、蓄冷手段５０を備えることによって圧縮機２１の入口側の冷媒温度を低く維持することができるので高温の湯が低温ポート３２から給湯用熱交換器２３に導かれたとしてもＣＯＰ値の低下を防ぐことができる。
また上述した第一〜第三の実施形態に係る給湯装置は、ヒートポンプユニット２に流入する水を冷却して、その温度を下げているので低温ポート３２から取り出される水の温度が高かったとしてもヒートポンプユニット２が沸き上げ運転を開始してもすぐに停止するという不具合を呈することがない。
【００３３】
尚、本発明の給湯装置は、上述した実施の形態に限定されるものではなく、例えば上述した第一〜第三の実施形態をそれぞれ組み合わせて構成してもよく、本発明の要旨を逸脱しない範囲内において種々変更して実施することが可能である。
【図面の簡単な説明】
【００３４】
【図１】本発明の第一および第二の実施形態に係る給湯装置の要部配管回路図。
【図２】図１に示す給湯制御部の主要の概略構成を示すブロック図。
【図３】本発明の実施形態に係る給湯装置の動作点を示すモリエル線図。
【図４】本発明の第三の実施形態に係る給湯装置の要部配管回路図。
【図５】従来の給湯装置の要部配管回路図。
【符号の説明】
【００３５】
２          ヒートポンプユニット
３ａ，３ｂ  貯湯タンク
２１        圧縮機
２３        給湯用熱交換器
２４        膨張弁
２５        蒸発器
３０        逃し弁
３１        給水混合弁
３２        低温ポート
３３        水温センサ
４０        給湯制御部
【図１】
2008128615.tif 000003
【図２】
2008128615.tif 000004
【図３】
2008128615.tif 000005
【図４】
2008128615.tif 000006
【図５】
2008128615.tif 000007